(57)【特許請求の範囲】
【請求項１】
電源からの起電力により、無線回線によって音声、画像、文字情報を送受可能に構成された携帯形情報通信用の端末であって、前記画像情報を取り込むための画像取り込み用アダプタが独立して挿脱可能に構成され、前記端末の電源とは別に前記アダプタ内に独立して起電力を供給するアダプタ用電源が設けられた携帯形情報通信用の端末において、前記アダプタを装着したときに、前記アダプタ用電源から前記アダプタが備えるアダプタ制御装置への電源の供給が可能に構成されるとともに、前記端末からの操作により前記アダプタ制御装置への電源の供給を停止することを特徴とする携帯形情報通信用の端末における電源制御装置。
【請求項２】
請求項１において、前記アダプタを装着したときであって、前記アダプタ用電源の起電力が低下した場合には前記端末の電源が前記端末と前記アダプタに供給されることを特徴とする携帯形情報通信用の端末における電源制御装置。
【請求項３】
無線回線によって音声、画像、文字情報を送受可能に構成され、文字情報を表示する画面と、動作するための電源とを有す携帯形情報通信用の端末であって、
前記電源とは別に電源を有す画像情報を取り込むための画像取り込み用アダプタが装着可能に構成され、
前記端末は、前記アダプタを装着したときに、前記アダプタ用電源から前記アダプタが備えるアダプタ制御装置への電源の供給が可能に構成されるとともに、前記端末からの操作により前記アダプタ制御装置への電源の供給が停止され、前記アダプタ用電源の起電力が低下した場合には、前記端末の電源が前記端末と前記アダプタに供給される電源制御装置を備え、
前記アダプタが装着されているときに該アダプタ用電源の起電力が低下した場合には、前記画面に、前記端末の電源が前記アダプタにも供給されていることを表示することを特徴とする携帯形情報通信用の端末。
【発明の詳細な説明】
【０００１】
【発明の属する技術分野】
本発明は、無線回線を利用して音声、画像、文字情報等を送受信する携帯形情報通信用の端末（イリジューム〔商標名〕，携帯電話，ＰＨＳ電話，トランシーバー等）の技術に関し、特に携帯形情報通信用の端末に画像データを取り込む拡張アダプタの電源制御に関する。
【０００２】
【従来の技術】
従来より、携帯形情報通信用の端末においては画像通信をすることが行われていなかったが、近年になって文字情報を電送し表示する技術や、パソコンやデジタルカメラからの画像情報を携帯電話で電送することが提案されている（例えば特開平８−２０４８８６号）。
しかしこのような技術においてはまだ、動画を送受信すること、すなわち、パソコンやデジタルカメラなしで電話機同士で簡単に送受信することは出来ない。そこで携帯形情報通信用の端末に直接接続出来る画像取り込み・圧縮・伸長、変復調機能を持たせたアダプタが開発されている。
【０００３】
【発明が解決しようとする課題】
最近の携帯電話機や携帯形情報通信用の端末では、通話時間を長く、且つ軽く小さくする事に重点が置かれており、画像取り込み・変復調・圧縮伸長等の機能を入れることは出来ず、機器の機能を増やすため、種々のアダプタが開発されている。
【０００４】
例えば、画像取り込み・撮像機能を持ったアダプターでは、撮像素子を駆動させるため、その消費電流は本体の消費電流の５倍前後になる。従来このアダプターの電源をいかにするかに問題があった。即ち本体側からアダプターへ電源を供給すれば本体の電池寿命が短くなり、またアダプターに電源を内蔵させた場合にはその電池の寿命と本体電池の寿命の時間的な差は避けられず、どちらかの電池の寿命が切れたときには、途中でその動作がストップしてしまうことになる。
【０００５】
しかし従来の技術においては、このアダプタの電源をいかに利用するかの解決は施されておらず、例えば、端末からアダプタへ常に電源を供給すれば端末の電池寿命が短くなり電池の消耗が早くなり、アダプタを取り外したときに既に電力がなくて、電話通信が不可能になることもある。一方、アダプタ側に電源を内蔵させたとしても、アダプタ側の電源が撮影中に消耗すると、せっかく取り入れたかった画像の撮影タイミングを逃してしまうことがあった。本発明は上述の問題点に鑑みてなされたものである。
【０００６】
【課題を解決するための手段】
上述の課題を解決するために本発明は、電源からの起電力により、無線回線によって音声、画像、文字情報を送受可能に構成された携帯形情報通信用の端末であって、前記画像情報を取り込むための画像取り込み用アダプタが独立して挿脱可能に構成され、前記端末の電源とは別に前記アダプタ内に独立して起電力を供給するアダプタ用電源が設けられた携帯形情報通信用の端末において、前記アダプタを装着したときに、前記アダプタ用電源から前記アダプタが備えるアダプタ制御装置への電源の供給が可能に構成されるとともに、前記端末に設けられた操作スイッチによって前記端末からの操作により前記アダプタ制御装置への電源の供給を停止することが可能に構成した。これにより、アダプタ側で独立して起電力が供給され、端末側の起電力の消耗度が減少する。
【０００７】
また、前記アダプタを装着したときであって、前記アダプタ用電源の起電力が低下した場合に端末側から供給可能に構成しても良い。これにより、撮影中にアダプタ用電源が消耗しても一時的に端末用の電源で保護されるため、撮影チャンスを逃すことがない。また、前記アダプタ用電源の起電力が低下した場合に端末側電源から前記端末と前記アダプタへ供給したときには前記画面に、その旨を表示するようにして、前記端末の起電力が現在利用されていて、起電力を消耗していることをユーザに素早く知らせるようにしても良い。
【０００８】
【発明の実施の形態】
図１及び図２は本発明の実施例の構成の概略図であり、図１は本発明の電源制御装置の内部回路を示すブロック図、図２は本発明の携帯形情報通信用の端末の外観図である。両図において、同じ部位は同じ符号で示し、図の１は表示機能付きの携帯情報通信端末であり、無線回線を利用して文字，音声情報を送受信できる他、本発明の画像取り込み用アダプタ１１を端末１に装着することにより、画像、特に動画情報を送受信できる高機能電話機として使用される。
【０００９】
２は端末の各機能を制御する制御回路であり、アンテナ５により端末１から通信を行うための通信機能２ａ、受信した文字データ等を液晶表示部２１に表示する表示機能２ｂ、ボタン操作により通信，本発明の画像取り込み用アダプタで、カメラのシャッタ，動画操作等を行うボタン操作回路２ｃ、その他の機能を持つ回路で構成されている。ボタン操作回路２ｃ中には本発明のアダプタ側の電源をＯＮ／ＯＦＦするための操作スイッチ２ｄが設けられ、端末からの起動指令信号用の信号線３０ａ，３０ｂが接続されている。
【００１０】
３は端末用の電源電池であり不図示であるが電源電池３を回路が安定して作動する所定電圧に変換するＤＣ−ＤＣコンバータを含む。電源スイッチ４はボタン操作回路２ｃに連動されており、電源スイッチ４をＯＦＦするのに連動して操作スイッチ２ｄがＯＦＦとなり、アダプタ１１の電源がＯＦＦするように構成されている。
６は本発明のアダプタに起電力を供給するスイッチ（ＳＷ）であり、７はその電源線である。２９は端末１とアダプタ１１間を接続するデータラインである。
【００１１】
１１は画像取り込み用のアダプタを示し、１２はアダプタ１１の制御回路であり、映像情報をディジタル情報に変換するＣＣＤ，Ｃ−ＭＯＳ等の撮像素子１２ａ、その他、不図示であるが圧縮伸長、変復音声処理、それに関連するＩＣが搭載されている。
【００１２】
１３はアダプタ側に起電力を供給する電源電池である。アダプタ１１の制御回路１２に起電力を供給すべく電源線１７を介して接続されている。本発明は、端末１の電源電池３とは別に、アダプタ１１に電源電池１３が設けられている。その理由は、端末１の電池電源３の消耗を少なく抑えるため、即ち、電源を電池電源３だけに依存すると、撮像素子が端末１での通信に使う電力に比べて消費電力が大きいため、動画通信が終了した後に、電池が消耗してしまって電話ができないといった不具合が生じるためである。
ただ、端末１の電源電池３だけでアダプタ１１を起動させるためには、当初から端末１の電源電池３が大きいものを入れておけば解決されるが、そのために端末１が大型化して携帯性が損なわれるため、本発明のように端末１とは独立してアダプタ１１に電源電池１３を持った構造になっている。
１４はアダプタ用電源１３の電圧検出回路であり、アダプタ用電源１３の起電力が大きい時はＡＮＤ回路１８にＨの信号が出力されるが、消耗して起電力が低下した場合にはＬの信号を出力されるようになっている。
【００１３】
１５は半導体スィッチであり、ＡＮＤ回路１８から接続され、さらに半導体スイッチ１６がインバータ１６ａを介して接続されている。
【００１４】
図２の２２はレンズが取り付けられた撮像部であり、ここから、図１の撮像素子１２ａを介して画像情報が取り込み可能に構成されている。２１は液晶画面であり、アンテナ５により文字情報が発信されてきたものを表示するように構成している。８はアンテナ５を介して相手方の電話機から送信されてきた音声情報を受ける受話部であり、９は自分の端末１から音声情報をアンテナ５を通じて無線回線で送信させる送話部である。
【００１５】
次にこのような構成における動作について説明する。
図２において、これに図のように、端末１にアダプタ１１が取り付けられるとデータライン２９によりデータ転送可能となる。そして、電源スイッチ４又は操作スイッチ２ｄを直接操作してＯＮすると信号線３０ａ，３０ｂがＨとなる。
【００１６】
信号線３０ａがＨとなった場合に、アダプタ用電源１３の起電力が大きいときは電圧検出回路１４がＨの信号を出力し、ＡＮＤ回路１８によっＳＷ１５はＯＮ，ＳＷ１６はＯＦＦとなって制御回路１２に起電力が供給される。また、信号線３０ｂがＨとなりＳＷ６がＯＮされるがＳＷ１６はＯＦＦであるため、端末１からの起電力がアダプタ１１側に供給されることが禁止される。
【００１７】
一方、アダプタ用電源１３の起電力が消耗して小さくなるときは、電圧検出回路１４がＬの信号を出力し、ＳＷ１５はＯＦＦ，ＳＷ１６はＯＮとなって制御回路１２に起電力が供給されなくなる。しかし、この場合は、ＳＷ６がＯＮとなっているため、端末１の電源３から起電力が一時的に供給されることとなる。この時は不図示であるが液晶画面２１に、その旨を表示するようにして、端末１の起電力が現在利用されていて、起電力を消耗していることをユーザに素早く知らせるようにしている。
【００１８】
その後、撮像部２２からの映像情報を取り込み、制御回路１２で各種信号処理を施した後、取り込んだ画像情報をデータライン２９を通し端末１に送り込み、制御回路２の通信機能によって音声・画像がアンテナ５を介して相手方端末に送信される。
【００１９】
次にアダプタ１１を作動させないときは、端末１の電源スイッチ４又は操作スイッチ２ｄを操作して信号線３０ａ，３０ｂをＯＦＦさせる。これにより、信号線３０ａ，３０ｂはＬｏｗの信号が出力され、ＳＷ１５はＯＦＦ，ＳＷ１６はＯＮとなりアダプタ１１の制御回路１２には起電力が供給されず、また、ＳＷ６がＯＦＦとなるため、端末１からの起電力もアダプタ１１に供給されない。
【００２０】
さらに端末１の電源スイッチ４をＯＦＦすると、操作ボタン回路２ｃの操作スイッチ２ｄがＯＦＦとなり信号線３０ａ、３０ｂもＬＯＷとして、上述のようにＳＷ１５とＳＷ６をＯＦＦとするようになる。
【００２１】
【発明の効果】
以上説明したように本発明の構成によれば、携帯形情報通信用の端末の電源電池とは別に、携帯情報通信用端末に取り付けるアダプタに電源電池を設け、アダプタを装着したときに、アダプタ用電源が起動可能に構成したため、アダプタ側で独立して起電力が供給され、端末側の起電力の消耗度が減少する。
【００２２】
また、アダプタを装着したときであって、アダプタ用電源の起電力が低下した場合に端末側から供給可能に構成することで、撮影中にアダプタ用電源が消耗しても一時的に端末用の電源で保護されるため、撮影チャンスを逃すことがない。等の顕著な効果を有する。
【図面の簡単な説明】
【図１】本発明の実施例のブロック図。
【図２】本発明の実施形態例を示す略図。
【符号の説明】
１  ：端末
２  ：端末の制御回路
２ａ：通信機能
２ｂ：表示機能
２ｃ：ボタン操作回路
２ｄ：操作スイッチ
２１：液晶表示部
２２：撮像部
３  ：端末用の電源電池
４  ：端末側の電源スイッチ
５  ：アンテナ
６  ：半導体スイッチ（ＳＷ）
７  ：電源線
８  ：受話部
９  ：送話部
１１：アダプタ
１２：アダプタの制御回路
１３：アダプタ用の電源電池
１４：電圧検出回路
１５：半導体スィッチ（ＳＷ）
１６：半導体スイッチ（ＳＷ）
１６ａ：インバータ
１７：信号線
２１：液晶画面
２２：撮像部
２９：データライン
【図１】
0003642667.tif 000002
【図２】
0003642667.tif 000003